(57)【要約】【課題】  節電状態から画像形成可能な状態に復帰させた場合、取り忘れた用紙が排紙手段に残っている状態で画像形成処理を実行して先行する出力用紙と後続する出力用紙とが混在してしまう事態を回避することである。【解決手段】  節電キーが押下されることにより節電状態から画像形成可能な状態に復帰させた場合、排紙トレイに用紙が積載されているか否かを制御装置１１０が判別し、該判別結果に基づいて、画像形成実行の可否を制御する構成を特徴とする。【選択図】  図１
2005349693.tif 000002
【特許請求の範囲】
【請求項１】
画像形成された出力用紙を積載する排紙手段を備える画像形成装置であって、
前記排紙手段に用紙が積載されているか否かを判別可能な積載検知手段と、
前記積載検知手段による判別結果に基づいて、画像形成実行の可否を制御する制御手段と、
画像形成装置の各部への電力供給を遮断して節電状態へ移行させ、該節電状態から画像形成可能な状態に復帰させる制御を行う節電制御手段とを備え、
前記制御手段は、前記節電制御手段が節電状態から画像形成可能な状態に復帰させた場合、前記積載検知手段による判別結果に基づいて、画像形成実行の可否を制御することを特徴とする画像形成装置。
【請求項２】
画像形成された出力用紙を積載する排紙手段を備える画像形成装置であって、
前記排紙手段に用紙が積載されているか否かを判別可能な積載検知手段と、
前記積載検知手段による判別結果に基づいて、画像形成実行の可否を制御する制御手段と、
画像形成装置の各部への電力供給を開始する電源投入手段とを備え、
前記制御手段は、前記電源投入手段が画像形成可能な状態に遷移させた場合、前記積載検知手段による判別結果に基づいて、画像形成実行の可否を制御することを特徴とする画像形成装置。
【請求項３】
画像形成された出力用紙を積載する排紙手段を備える画像形成装置であって、
前記排紙手段に用紙が積載されているか否かを判別可能な積載検知手段と、
前記積載検知手段による判別結果に基づいて、画像形成実行の可否を制御する制御手段と、
画像形成装置の各部への電力供給を遮断して節電状態へ移行させ、該節電状態から画像形成可能な状態に復帰させる制御を行う節電制御手段と、
画像形成装置の各部への電力供給を開始する電源投入手段とを備え、
前記制御手段は、前記節電制御手段が節電状態から画像形成可能な状態に復帰させた場合、または前記電源投入手段が画像形成可能な状態に遷移させた場合、
前記積載検知手段による判別結果に基づいて、画像形成実行の可否を制御することを特徴とする画像形成装置。
【請求項４】
前記制御手段は、前記積載検知手段が前記排紙手段上に残用紙があると判別した場合、操作表示部に残用紙除去を催促するメッセージを表示することを特徴とする請求項１〜３のいずれかに記載の画像形成装置。
【請求項５】
前記制御手段は、前記積載検知手段が前記排紙手段上に残用紙があると判別した後に残用紙がないと判別した場合、前記操作表示部に表示した残用紙除去を催促するメッセージを消去することを特徴とする請求項４に記載の画像形成装置。
【請求項６】
通信可能な情報処理装置から印刷ジョブを受信する受信手段を備え、
前記制御手段は、前記操作表示部に用紙除去を催促するメッセージを表示している間に前記受信手段が前記印刷ジョブを受信した場合、前記積載検知手段による判別結果に基づいて、前記印刷ジョブの印刷処理実行の可否を制御することを特徴とする請求項１〜３のいずれかに記載の画像形成装置。
【請求項７】
画像形成された出力用紙を積載する排紙手段を備える画像形成装置における画像形成制御方法であって、
前記排紙手段に用紙が積載されているか否かを判別可能な積載検知ステップと、
前記積載検知ステップによる判別結果に基づいて、画像形成実行の可否を制御する制御ステップと、
画像形成装置の各部への電力供給を遮断して節電状態へ移行させ、該節電状態から画像形成可能な状態に復帰させる制御を行う節電制御ステップとを備え、
前記制御ステップは、前記節電制御ステップが節電状態から画像形成可能な状態に復帰させた場合、前記積載検知ステップによる判別結果に基づいて、画像形成実行の可否を制御することを特徴とする画像形成制御方法。
【請求項８】
画像形成された出力用紙を積載する排紙手段を備える画像形成装置における画像形成制御方法であって、
前記排紙手段に用紙が積載されているか否かを判別可能な積載検知ステップと、
前記積載検知ステップによる判別結果に基づいて、画像形成実行の可否を制御する制御ステップと、
画像形成装置の各部への電力供給を開始する電源投入ステップとを備え、
前記制御ステップは、前記電源投入ステップが画像形成可能な状態に遷移させた場合、前記積載検知ステップによる判別結果に基づいて、画像形成実行の可否を制御することを特徴とする画像形成制御方法。
【請求項９】
画像形成された出力用紙を積載する排紙手段を備える画像形成装置における画像形成制御方法であって、
前記排紙手段に用紙が積載されているか否かを判別可能な積載検知ステップと、
前記積載検知ステップによる判別結果に基づいて、画像形成実行の可否を制御する制御ステップと、
画像形成装置の各部への電力供給を遮断して節電状態へ移行させ、該節電状態から画像形成可能な状態に復帰させる制御を行う節電制御ステップと、
画像形成装置の各部への電力供給を開始する電源投入ステップとを備え、
前記制御ステップは、前記節電制御ステップが節電状態から画像形成可能な状態に復帰させた場合、または前記電源投入ステップが画像形成可能な状態に遷移させた場合、前記積載検知ステップによる判別結果に基づいて、画像形成実行の可否を制御することを特徴とする画像形成制御方法。
【請求項１０】
前記制御ステップは、前記積載検知ステップが前記排紙手段上に残用紙があると判別した場合、操作表示部に残用紙除去を催促するメッセージを表示することを特徴とする請求項７〜９のいずれかに記載の画像形成制御方法。
【請求項１１】
前記制御ステップは、前記積載検知ステップが前記排紙手段上に残用紙があると判別した後、残用紙がないと判別した場合、前記操作表示部に表示した残用紙除去を催促するメッセージを消去することを特徴とする請求項１０に記載の画像形成制御方法。
【請求項１２】
通信可能な情報処理装置から印刷ジョブを受信する受信ステップを有し、
前記制御ステップは、前記操作表示部に用紙除去を催促するメッセージを表示している間に、前記受信ステップが前記印刷ジョブを受信した場合、前記積載検知ステップによる判別結果に基づいて、前記印刷ジョブの印刷処理実行の可否を制御することを特徴とする請求項７〜９のいずれかに記載の画像形成制御方法。
【請求項１３】
請求項７〜１２のいずれかに記載の画像形成制御方法を実行させるためのプログラムを格納したことを特徴とするコンピュータが読み取り可能な記憶媒体。
【請求項１４】
請求項７〜１２のいずれかに記載の画像形成制御方法を実行させることを特徴とするプログラム。
【発明の詳細な説明】
【技術分野】
【０００１】
本発明は、画像形成された出力用紙を積載する排紙手段を備える画像形成装置および画像形成制御方法およびコンピュータが読み取り可能なプログラムを格納した記憶媒体およびプログラムに関するものである。
【背景技術】
【０００２】
近年、この種の画像形成装置において、プリンタ機能が動作していない時に消費する待機電力を削減したいという要求が強まってきており、それに伴い、待機中に必要な処理をするためのＣＰＵと、通常動作に必要な処理をするＣＰＵとを別にして，待機中には後者のＣＰＵに電源を供給しないようにする（節電状態）ことで，待機電力の削減を行っている画像形成装置が出てきている。
【０００３】
そのような画像形成装置のなかには、節電状態にある場合に外部装置から画像データを出力するプリントジョブを受け付けた時に節電解除し、操作部画面は真っ暗なままでプリント機能を動作させ、該プリントジョブのプリントを行うものがある。
【０００４】
一方、一般的に広く普及している画像形成装置には記録紙にプリントした後、記録紙を画像形成装置外の排紙トレイに排出しており、画像形成装置自体に、あるいはオプションとして記録紙の束に対してステイプルやシフトといったシート後処理機能を備えたフィニッシャを備えているものが多く普及している。
【０００５】
このフィニッシャは単一の排紙トレイだけではなく、複数の排紙トレイを設けることによって、大量の記録用紙の積載性を高めている。そして、各排紙トレイに用紙が積載されているかどうかを検知する積載検知機能を持つものがある（例えば、特許文献１参照）。積載検知をする方法としては、トレイ上にレバーを設け、用紙がトレイ上に置かれた場合に用紙の重さでレバーがダウンすることを利用したものがある。
【特許文献１】特開平７−３３６４８１号公報
【発明の開示】
【発明が解決しようとする課題】
【０００６】
上記のように構成された画像形成装置において、大量印刷を行うようなプリントジョブにおいては、該ジョブの前のジョブで排紙した用紙と、該ジョブが排紙した用紙とが排紙トレイ上で混在しないような動作が求められるケースがある。
【０００７】
しかしながら、従来は、節電復帰後の最初のプリントジョブ実行時に排紙トレイに用紙が積載されているかどうかを判定しておらず、そのプリントジョブを実行した結果、排紙トレイ上に用紙が混載されてしまうといった問題がある。
【０００８】
また、節電復帰後にプリントジョブを受け付けても操作部は、真っ暗なままなので、使用者に対して用紙をとりのぞくよう適切なメッセージを操作画面上に表示することができず、操作性が悪いという課題があった。
【０００９】
さらに、上記特許文献１では、排紙手段の積載量を超えるような積載を制限するために、排紙される用紙の積載量が検知レバー操作する程の量に達しないと排紙を検知しない構成であるが、排紙された量が１枚であっても、次の印刷ジョブの処理を実行すれば、先行する印刷ジョブによる出力とが混在してしまい、特許文献１に記載されているような検知手段では、残用紙が少ない場合には適応しにくいという問題があった。
【００１０】
本発明は、上記の課題を解決するためになされたもので、本発明の第１の目的は、節電状態から画像形成可能な状態に復帰させた場合、排紙手段に用紙が積載されているか否かを判別し、該判別結果に基づいて、画像形成実行の可否を制御することにより、節電状態から画像形成可能な状態に復帰させた場合、取り忘れた用紙が排紙手段に残っている状態で画像形成処理を実行して先行する出力用紙と後続する出力用紙とが混在してしまう事態を回避することができるとともに、残用紙の有無と排紙要請をユーザに対して明確に指示することができる画像形成装置および画像形成制御方法およびコンピュータが読み取り可能なプログラムを格納した記憶媒体およびプログラムを提供することである。
【００１１】
第２の目的は、画像形成装置の電源がオフ状態からオン状態に遷移した場合、排紙手段に用紙が積載されているか否かを判別し、該判別結果に基づいて、画像形成実行の可否を制御することにより、画像形成装置の電源がオフ状態からオン状態に遷移した場合、取り忘れた用紙が排紙手段に残っている状態で画像形成処理を実行して先行する出力用紙と後続する出力用紙とが混在してしまう事態を回避することができるとともに、残用紙の有無と排紙要請をユーザに対して明確に指示することができる画像形成装置および画像形成制御方法およびコンピュータが読み取り可能なプログラムを格納した記憶媒体およびプログラムを提供することである。
【００１２】
第３の目的は、節電状態から画像形成可能な状態に復帰させた場合、または画像形成装置の電源がオフ状態からオン状態に遷移した場合、排紙手段に用紙が積載されているかを判別し、該判別結果に基づいて、画像形成実行の可否を制御することにより、節電状態から画像形成可能な状態に復帰させた場合、または、画像形成装置の電源がオフ状態からオン状態に遷移した場合取り忘れた用紙が排紙手段に残っている状態で画像形成処理を実行して先行する出力用紙と後続する出力用紙とが混在してしまう事態を回避することができるとともに、残用紙の有無と排紙要請をユーザに対して明確に指示することができる画像形成装置および画像形成制御方法およびコンピュータが読み取り可能なプログラムを格納した記憶媒体およびプログラムを提供することである。
【課題を解決するための手段】
【００１３】
上記目的を達成する本発明の画像形成装置は以下に示す構成を備える。
【００１４】
画像形成された出力用紙を積載する排紙手段を備える画像形成装置であって、前記排紙手段に用紙が積載されているか否かを判別可能な積載検知手段と、前記積載検知手段による判別結果に基づいて、画像形成実行の可否を制御する制御手段と、画像形成装置の各部への電力供給を遮断して節電状態へ移行させ、該節電状態から画像形成可能な状態に復帰させる制御を行う節電制御手段とを備え、前記制御手段は、前記節電制御手段が節電状態から画像形成可能な状態に復帰させた場合、前記積載検知手段による判別結果に基づいて、画像形成実行の可否を制御することを特徴とする。
【００１５】
また、画像形成された出力用紙を積載する排紙手段を備える画像形成装置であって、前記排紙手段に用紙が積載されているか否かを判別可能な積載検知手段と、前記積載検知手段による判別結果に基づいて、画像形成実行の可否を制御する制御手段と、画像形成装置の各部への電力供給を開始する電源投入手段とを備え、前記制御手段は、前記電源投入手段が画像形成可能な状態に遷移させた場合、前記積載検知手段による判別結果に基づいて、画像形成実行の可否を制御することを特徴とする。
【００１６】
さらに、画像形成された出力用紙を積載する排紙手段を備える画像形成装置であって、前記排紙手段に用紙が積載されているか否かを判別可能な積載検知手段と、前記積載検知手段による判別結果に基づいて、画像形成実行の可否を制御する制御手段と、画像形成装置の各部への電力供給を遮断して節電状態へ移行させ、該節電状態から画像形成可能な状態に復帰させる制御を行う節電制御手段と、画像形成装置の各部への電力供給を開始する電源投入手段とを備え、前記制御手段は、前記節電制御手段が節電状態から画像形成可能な状態に復帰させた場合、または前記電源投入手段が画像形成可能な状態に遷移させた場合、前記積載検知手段による判別結果に基づいて、画像形成実行の可否を制御することを特徴とする。
【００１７】
上記目的を達成する本発明の画像形成制御方法は以下に示す構成を備える。
【００１８】
画像形成された出力用紙を積載する排紙手段を備える画像形成装置における画像形成制御方法であって、前記排紙手段に用紙が積載されているか否かを判別可能な積載検知ステップと、前記積載検知ステップによる判別結果に基づいて、画像形成実行の可否を制御する制御ステップと、画像形成装置の各部への電力供給を遮断して節電状態へ移行させ、該節電状態から画像形成可能な状態に復帰させる制御を行う節電制御ステップとを備え、前記制御ステップは、前記節電制御ステップが節電状態から画像形成可能な状態に復帰させた場合、前記積載検知ステップによる判別結果に基づいて、画像形成実行の可否を制御することを特徴とする。
【００１９】
また、画像形成された出力用紙を積載する排紙手段を備える画像形成装置における画像形成制御方法であって、前記排紙手段に用紙が積載されているか否かを判別可能な積載検知ステップと、前記積載検知ステップによる判別結果に基づいて、画像形成実行の可否を制御する制御ステップと、画像形成装置の各部への電力供給を開始する電源投入ステップとを備え、前記制御ステップは、前記電源投入ステップが画像形成可能な状態に遷移させた場合、前記積載検知ステップによる判別結果に基づいて、画像形成実行の可否を制御することを特徴とする。
【００２０】
さらに、画像形成された出力用紙を積載する排紙手段を備える画像形成装置における画像形成制御方法であって、前記排紙手段に用紙が積載されているか否かを判別可能な積載検知ステップと、前記積載検知ステップによる判別結果に基づいて、画像形成実行の可否を制御する制御ステップと、画像形成装置の各部への電力供給を遮断して節電状態へ移行させ、該節電状態から画像形成可能な状態に復帰させる制御を行う節電制御ステップと、画像形成装置の各部への電力供給を開始する電源投入ステップとを備え、前記制御ステップは、前記節電制御ステップが節電状態から画像形成可能な状態に復帰させた場合、または前記電源投入ステップが画像形成可能な状態に遷移させた場合、前記積載検知ステップによる判別結果に基づいて、画像形成実行の可否を制御することを特徴とする。
【発明の効果】
【００２１】
本発明によれば、節電状態から画像形成可能な状態に復帰させた場合、または、画像形成装置の電源がオフ状態からオン状態に遷移した場合に、取り忘れた用紙が排紙手段に残っている状態で画像形成処理を実行して、先行する出力用紙と後続する出力用紙とが混在してしまう事態を回避することができる。
【００２２】
また、節電状態から画像形成可能な状態に復帰させた場合、または、画像形成装置の電源がオフ状態からオン状態に遷移した場合であって、排紙手段に残っている用紙があると判別した場合に、残用紙除去を催促するメッセージを表示することで、先行する出力用紙と後続する出力用紙とが混在してしまう事態が起こりうることを事前にユーザに喚起でき、利便性が向上する。
【発明を実施するための最良の形態】
【００２３】
次に本発明を実施するための最良の形態について図面を参照して説明する。
【００２４】
〔第１実施形態〕
図１は、本発明の第１実施形態を示す画像形成装置を適用可能な画像入出力システムの全体構成を示すブロック図である。
【００２５】
図１において、２００はリーダ部（画像入力装置）で、原稿画像を光学的に読み取り、画像データに変換する。リーダ部２００は、原稿を読み取るための機能を持つスキャナユニット２１０と、原稿用紙を搬送するための機能を持つ原稿給紙ユニット（ＤＦユニット）２５０とで構成される。
【００２６】
３００はプリンタ部（画像出力装置）で、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙を機外へ出力する機能を持つ排紙ユニット３３０、及びステイプル処理、ソート処理を行うフィニッシャ５００とで構成される。
【００２７】
１１０は制御装置で、リーダ部２００、プリンタ部３００と電気的に接続され、さらにネットワーク４００を介して、ホストコンピュータ４００１，４００２と接続されている。制御装置１１０は、リーダ部２００を制御して、原稿の画像データを読込み、プリンタ部３００を制御して画像データを記録用紙に出力してコピー機能を提供する。
【００２８】
また、リーダ部２００から読取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。ＰＤＬではページの区切りを示すコマンドが各言語ごとに定義されている。
【００２９】
例えば、ＰｏｓｔＳｃｒｉｐｔ（登録商標）では「ＳｈｏｗＰａｇｅ」、ＰＣＬでは「ＦｏｒｍＦｅｅｄ」というコマンドが定義されている。これらのコマンドが通知された場合に、はじめて１ページの区切りが判明する。
【００３０】
また、ジョブの終了をホストコンピュータからのデータ転送が途切れてからのタイムアウトによって判別する方法も存在する。
【００３１】
１５０は操作部で、制御装置１１０に接続され、各種キー及び液晶タッチパネルで構成され、画像入出力システムを操作するためのユーザＩ／Ｆを提供する。なお、操作部１５０も節電対象デバイスである。
【００３２】
図２は、図１に示したリーダ部２００及びプリンタ部３００の構成を説明する断面図である。まず、リーダ部２００について説明する。
【００３３】
図２に示すリーダ部２００において、原稿給紙ユニット（フィーダ）２５０は、原稿を先頭順に１枚ずつプラテンガラス２１１上へ給送し、原稿の読み取り動作終了後、プラテンガラス２１１上の原稿を排出トレイ２１９に排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４，２１５，２１６及びレンズ２１７によってＣＣＤイメージセンサ（以下ＣＣＤという）２１８へ導かれる。
【００３４】
このように、走査された原稿の画像はＣＣＤ２１８によって読み取られる。ＣＣＤ２１８から出力される画像データは、所定の処理が施された後、制御装置１１０へ転送される。リーダ部２００は原稿検出センサ２５０を備え、この原稿検出センサ２５０によって原稿の有無を検知する。この原稿検出センサ２５０はレバーによるセンサ、あるいは光学センサによって構成されている。
【００３５】
プリンタ部３００において、３２１はレーザドライバで、レーザ発光部３２２を駆動するものであり、制御装置１１０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００３６】
また、プリンタ部３００は用紙格納部として、それぞれ引き出し状の形状をしたカセット３１１，カセット３１２，カセット３１３，カセット３１４そして、機外に露出しているトレイ上の手差し給紙段３１５を備えている。従来では手差し給紙段３１５を除き、カセットを引き出し、そのカセットに用紙を補給し、カセットを閉めることによって、用紙補給を行っている。
【００３７】
用紙格納部には、それぞれ給紙センサがついており、それぞれカセット３１１にはセンサ３５１、カセット３１２にはセンサ３５２、カセット３１３にはセンサ３５３、カセット３１４にはセンサ３５４、手差し給紙段３１５にはセンサ３５５が装着されている。
【００３８】
プリンタ部３００は、レーザ光の照射開始と同期したタイミングで、カセット３１１、カセット３１２、カセット３１３、カセット３１４、手差し給紙段３１５のいずれかから記録紙を給紙し、転写部３２５へ搬送路３３１によって、感光ドラム３２３に付着された現像剤を記録紙に転写する。現像剤の乗った記録紙は搬送ベルト３２６によって、定着部３２７に搬送され、定着部３２７の熱と圧力により現像剤は記像紙に定着される。
【００３９】
その後、定着部３２７を通過した記録紙は搬送路３３５、搬送路３３４を通り、排出される。あるいは、印字面を反転して排出する場合には、搬送路３３６、搬送路３３８まで導かれ、そこから記録紙を逆方向に搬送し、搬送路３３７、搬送路３３４を通る。
【００４０】
また、両面記録が設定されている場合は、定着部３２７を通過したあと、搬送路３３６からフラッパ３２９によって、搬送路３３３に記録紙は導かれ、その後記録紙を逆方向に搬送し、フラッパ３２９によって、搬送路３３８、再給紙搬送路３３２へ導かれる。再給紙搬送路３３２へ導かれた記録紙は上述したタイミングで搬送路３３１を通り、転写部３２５へ給紙される。
【００４１】
搬送路３３４より排出された記録紙はフィニッシャ部５００へ搬送される。搬送された記録紙は、まずバッファユニット５０１へ送られる。ここでは、場合に応じて搬送されてきた記録紙をバッファローラに巻きつけてバッファリングする。例えば、この下流で行われるステイプル等処理に時間がかかる場合は、このバッファユニットを利用することによって本体から搬送されてくる記録紙の搬送速度を一定に保つことができ、スループットの向上に役立たせることが可能である。
【００４２】
そして、記録紙は、この後上流排出ローラ対５０２、下流排出ローラ対５０３で排紙トレイ５０７ａに排出される。また、ステイプルモードの場合は、上流排出ローラ対５０２で搬送され記録紙後端がこれを抜けた直後、ローレットベルト５０４によって引き戻され、スタックトレイ５０５に排出される。
【００４３】
そして、所定の枚数分記録紙が積載されたあと、ステイプルユニット５０６によってステイプル処理が行われた後に、下流排出ローラ対５０３により排出トレイ５０７ａに排出される。
【００４４】
また、シフトソート時にはスタックトレイに積まれた用紙を左右にずらし、排出トレイ５０７ａに排出することによって、部の切れ目を表現する。
【００４５】
なお、排紙トレイは５０７ａ，５０７ｂの２ビンを有し、これらは連動して不図示の駆動ユニットにより上下に移動させることが可能である。
【００４６】
また、図２においては、排紙トレイ５０７ａに記録紙が排出される位置にあるが、これを上方向に移動して排紙トレイ５０７ｂに排出させることも可能である。
【００４７】
本実施形態において、各排紙トレイ５０７ａ、５０７ｂには、排紙トレイ上に記録用紙の有無を検知する手段として、紙有無検知センサ５０８ａ、５０８ｂが存在する。記録紙が紙有無検知センサの上に積載されると紙有と判断される。
【００４８】
また、排紙トレイ上に記録紙が積載される際、これ以上積載されると排紙トレイ上から記録用紙が落下する恐れを防止するために、トレイフルセンサ（図示しない）が存在する。
【００４９】
図３は、図１に示した操作部１５０の構成を示す平面図である。
【００５０】
図３において、６００はＬＣＤタッチパネルで、主なモード設定、状況表示はここで行われる。６０１は「０〜９」までの数値を入力するためのテンキーである。６０２はＩＤキーで、装置が部門管理されている場合に部門番号と暗証モードを入力する際に使用されるものである。
【００５１】
６０３は設定されたモードをリセットするためのリセットキー、６０４は各モードについての説明画面を表示するためのガイドキー、６０５はユーザモード画面に入るためのユーザモードキー、６０６は割り込みコピーを行うための割り込みキーになっている。６０７はコピー動作をスタートさせるためのスタートキー、６０８は実行中のコピージョブを中止させるためのストップキーである。６０９はソフト電源ＳＷで、押下することによりＬＣＤタッチパネル６００のバックライトが消え装置は低電力状態に移行する。
【００５２】
本実施形態において、節電状態復帰手段の一つとして機能する、節電キー６１０がある。これを押下することで節電状態に入り、再度押下することで節電状態から復帰する。
【００５３】
また、節電キー６１０を押下することで節電状態に入り、再度押下することで節電状態から復帰する方法とは異なる方法でも節電状態から復帰することが可能である。
【００５４】
ネットワーク４００を介して、接続されているホストコンピュータ４００１，４００２からデータ受信した場合、制御装置１１０は、ネットワークドライバが現在の動作モードが節電状態にあるのか通常動作状態であるのかを判別して、節電状態であった場合には、受信したパケットが特定のパケットであるか否かを判別し、特定のパケットだった場合には不図示の電源コントローラに通知して節電状態から復帰する。そして、排紙トレイ上の残用紙有無を検知し、該検知結果に基づいて、図６等に示す手順で印刷実行の可否を制御装置１１０が決定する。
【００５５】
ここで、特定のパケットとは、ＰＤＬデータをプリントするためのプリントジョブを意味するパケットであり、パケットのデータには、プリント動作の内容を指示するデータやＰＤＬデータ等が含まれる。
【００５６】
次に、用紙排除指示表示手段について説明する。
【００５７】
図４は、図３に示した操作部１５０における標準画面（ユーザインタフェース）を示す模式図であり、図３に示したＬＣＤタッチパネル６００上にコントローラ部１１０の制御により表示される。なお、この図４は、デフォルトの操作画面であり、コピー等のジョブ投入を行うための指示画面となっている。
【００５８】
図５は、図３に示した操作部１５０における用紙排除指示画面（ユーザインタフェース）を示す模式図であり、図３に示したＬＣＤタッチパネル６００上にコントローラ部１１０の制御により表示される。
【００５９】
図５では、標準画面の下部に用紙排除指示として「排紙トレイの用紙をとりのぞいてください」とコントローラ部１１０の制御によりメッセージ表示される。これは、節電状態にあった画像形成装置に対し、節電状態復帰手段で節電状態から復帰するときに、積載検知手段で排紙トレイに用紙が積載されていると判断した場合に表示される。
【００６０】
そして、このメッセージが表示されている間は、一切のプリントが行われないように制御される。また、使用者によって排紙トレイから用紙がとりのぞかれると、図５に示したメッセージ表示が削除されプリントを行える状態に遷移する。
【００６１】
図６は、本発明に係る画像形成装置における第１の画像形成処理手順の一例を示すフローチャートであり、コントローラ部１１０による節電状態から通電状態に復帰する際の一例の画像形成処理手順に対応する。なお、Ｓ１〜Ｓ１０は各ステップを示し、各ステップは、コントローラ部１１０が図示しないＲＯＭやハードディスク等から読み出される制御プログラムをＲＡＭ等に読み出して実行することで実現される。
【００６２】
まず、ステップＳ１にて、制御装置１１０は、図示しない電源からの電力供給を制限することにより、所定の節電状態に移行する。
【００６３】
なお、本実施形態において、節電状態に移行する条件は、通常動作状態で、例えば操作部１５０上にもうける節電キー６１０が押下された場合、もしくは通常状態で一定時間キー操作やジョブを受け付けなかったことを制御装置１１０が判断した場合である。また、節電状態へ移行する条件の一つである節電移行時間の設定は、操作部１５０上で不図示の節電移行時間設定画面から分、時間の単位で設定できるように構成されているものとする。
【００６４】
次に、ステップＳ２にて、ＬＡＮ４００を介してジョブが投入されたどうかを制御装置１１０が判断して、ＬＡＮ４００を介してジョブが投入されたと判断した場合は、ステップＳ４へ進み、節電状態から復帰する。
【００６５】
一方、ステップＳ２で、ジョブが投入されないと制御装置１１０が判断した場合は、ステップＳ３へ進み、操作部１５０上で節電キー６１０が再押下されたと制御装置１１０が判断して、ステップＳ３にて、節電キーが再押下されなかったと判断した場合は、ステップＳ２へ戻り、再押下されたと判断した場合は、ステップＳ４へ進み、節電状態から復帰する。
【００６６】
そして、ステップＳ４で、節電状態から制御装置１１０が画像形成装置の各部への通電を再開して、所定の画像処理を実行可能な状態に復帰すると、ステップＳ５へ進み、排紙トレイ５０７ａ，５０７ｂに用紙が積載されているかを紙有無検知センサ５０８ａ，５０８ｂからの出力を検知することで制御装置１１０が判断し、用紙が積載されていないと制御装置１１０が判断した場合は、ステップＳ９へ進む。
【００６７】
一方、ステップＳ５で、排紙トレイ５０７ａ，５０７ｂに用紙が積載されていると制御装置１１０が判断した場合は、ステップＳ６へ進み、排紙トレイ５０７ａ，５０７ｂから用紙を取り除くようメッセージを操作部１５０の操作画面上に制御装置１１０の制御により表示して、ステップＳ７へ進む。
【００６８】
そして、ステップＳ７では、排紙トレイ５０７ａ，５０７ｂに用紙が積載されているか否かを紙有無検知センサ５０８ａ，５０８ｂからの出力を検知することで制御装置１１０が再度判断し、用紙が積載されていないと制御装置１１０が判断した場合にステップＳ８へ進む。
【００６９】
そして、ステップＳ８では、ステップＳ６で、制御装置１１０の制御により操作部１５０の操作画面上に表示したメッセージを非表示状態に遷移させて、ステップＳ９へ進み、ＬＡＮ４００を介して受信している待ちジョブがあるかどうかを制御装置１１０が図示しないバッファ上の情報から判断し、バッファ上に待ちジョブがないと制御装置１１０が判断した場合は処理を終了し、バッファ上に待ちジョブがあると制御装置１１０が判断した場合は、ステップＳ１０へ進んで、そのジョブのプリントを開始して、本処理を終了する。
【００７０】
本実施形態によれば、節電状態から画像形成動作可能な状態に復帰した後に、排紙トレイ５０７ａ，５０７ｂに用紙が積載されているかを紙有無検知センサ５０８ａ，５０８ｂからの出力を検知することで制御装置１１０が判断し、積載されていたと判断した場合は、操作部１５０の操作画面上に用紙を取り除くようメッセージを制御装置１１０の制御により表示し、用紙が取り除かれたらプリントを開始するよう制御することができるようになるため、従来のような出力用紙が混在してしまう事態を確実に回避して、大量印刷を行うユーザに対して画像形成装置による出力時の利便性を格段に向上させることができる。
【００７１】
〔第２実施形態〕
上記実施形態では、例えば制御装置１１０が操作部１５０で設定された節電制御開始時間等の設定値に基づいて画像形成可能な通電状態から節電状態へ移行した後、再度画像形成装置が画像形成可能な状態に復帰した場合に、排紙トレイ５０７ａ，５０７ｂに用紙が積載されているかを紙有無検知センサ５０８ａ，５０８ｂからの出力を検知することで制御装置１１０が判断し、積載されていたと判断した場合は、操作部１５０の操作画面上に用紙を取り除くようメッセージを制御装置１１０の制御により表示し、用紙が取り除かれたらプリントを開始するよう制御する場合について説明したが、節電状態から復帰する場合に限らず、電源がオフ状態からオン状態へ変化することを検出した場合に、同様に、排紙トレイ５０７ａ，５０７ｂに用紙が積載されているかを紙有無検知センサ５０８ａ，５０８ｂからの出力を検知することで制御装置１１０が判断し、積載されていたと判断した場合は、操作部１５０の操作画面上に用紙を取り除くようメッセージを制御装置１１０の制御により表示し、用紙が取り除かれたらプリントを開始するよう制御するように構成してもよい。以下、その実施形態について説明する。
【００７２】
図７は、本発明に係る画像形成装置における第２の画像形成処理手順の一例を示すフローチャートであり、制御装置１１０による節電状態から通電状態に復帰する際の一例の画像形成処理手順に対応する。なお、Ｓ１１〜Ｓ１７は各ステップを示し、各ステップは、制御装置１１０が図示しないＲＯＭやハードディスク等から読み出される制御プログラムをＲＡＭ等に読み出して実行することで実現される。
【００７３】
先ず、図示しない電源スイッチ等が押下された後、ステップＳ１１で、電源オフ状態から制御装置１１０が画像形成装置の各部への通電を再開して、所定の画像処理を実行可能な状態に遷移したかどうかを判断して、実行可能な状態に遷移したと判断した場合は、ステップＳ１２へ進み、排紙トレイ５０７ａ，５０７ｂに用紙が積載されているか否かを紙有無検知センサ５０８ａ，５０８ｂからの出力を検知することで制御装置１１０が判断し、用紙が積載されていないと制御装置１１０が判断した場合は、ステップＳ１６へ進む。
【００７４】
一方、ステップＳ１２で、排紙トレイ５０７ａ，５０７ｂに用紙が積載されていると制御装置１１０が判断した場合は、ステップＳ１３へ進み、排紙トレイ５０７ａ，５０７ｂから用紙を取り除くようメッセージを操作部１５０の操作画面上に制御装置１１０の制御により表示して、ステップＳ１４へ進む。
【００７５】
そして、ステップＳ１４では、排紙トレイ５０７ａ，５０７ｂに用紙が積載されているか否かを紙有無検知センサ５０８ａ，５０８ｂからの出力を検知することで制御装置１１０が再度判断し、用紙が積載されていないと制御装置１１０が判断した場合にステップＳ１５へ進む。
【００７６】
そして、ステップＳ１５で、制御装置１１０の制御により操作部１５０の操作画面上に表示したメッセージを非表示状態に遷移させて、ステップＳ１６へ進み、ＬＡＮ４００を介して受信している待ちジョブがあるかどうかを制御装置１１０が図示しないバッファ上の情報から判断し、バッファ上に待ちジョブがないと制御装置１１０が判断した場合は処理を終了し、バッファ上に待ちジョブがあると制御装置１１０が判断した場合は、ステップＳ１７へ進んで、そのジョブのプリントを開始して、本処理を終了する。
【００７７】
本実施形態によれば、電源オフ状態から画像形成動作可能な状態に遷移した後に、排紙トレイ５０７ａ，５０７ｂに用紙が積載されているか否かを紙有無検知センサ５０８ａ，５０８ｂからの出力を検知することで制御装置１１０が判断し、積載されていたと判断した場合は、操作部１５０の操作画面上に用紙を取り除くようメッセージを制御装置１１０の制御により表示し、用紙が取り除かれたらプリントを開始するよう制御することができるようになるため、電源がオフ状態からオン状態に遷移した時点で、排紙トレイ上に取り忘れの用紙があった場合でも、その後の排紙処理で、直前排紙されていた用紙とその後に排紙された出力用紙とが混在してしまう事態を確実に回避して、大量印刷を行うユーザに対して画像形成装置による出力時の利便性を格段に向上させることができる。
【００７８】
なお、図６に示す制御手順と図７に示す制御手順とを適宜組み合わせたものも本発明の適用範囲であることは言うまでもない。
【００７９】
〔第３実施形態〕
上記第１実施形態では、節電状態から画像形成可能な状態に遷移するタイミングで、排紙手段の残用紙を検知する場合について説明したが、複数の排紙手段を備え、複数の排紙手段を併用した排紙処理を行う場合に、必要となる排紙手段の残用紙をそれぞれ検知して、上記同様に画像形成の実行の可否を制御するように構成してもよい。
【００８０】
〔第４実施形態〕
以下、図８に示すメモリマップを参照して本発明に係る画像形成装置で読み取り可能なデータ処理プログラムの構成について説明する。
【００８１】
図８は、本発明に係る画像形成装置で読み取り可能な各種データ処理プログラムを格納する記憶媒体のメモリマップを説明する図である。
【００８２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００８３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００８４】
本実施形態における図６，図７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００８５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００８６】
この場合、記憶媒体から読み出されたプログラムコード自体が本発明の新規な機能を実現することになり、そのプログラムコードを記憶した記憶媒体は本発明を構成することになる。
【００８７】
従って、プログラムの機能を有していれば、オブジェクトコード、インタプリタにより実行されるプログラム、ＯＳに供給するスクリプトデータ等、プログラムの形態を問わない。
【００８８】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００８９】
この場合、記憶媒体から読出されたプログラムコード自体が前述した実施形態の機能を実現することになり、そのプログラムコードを記憶した記憶媒体は本発明を構成することになる。
【００９０】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００９１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９４】
本発明は上記実施形態に限定されるものではなく、本発明の趣旨に基づき種々の変形（各実施形態の有機的な組合せを含む）が可能であり、それらを本発明の範囲から排除するものではない。
【００９５】
本発明の様々な例と実施形態を示して説明したが、当業者であれば、本発明の趣旨と範囲は、本明細書内の特定の説明に限定されるものではない。
【００９６】
なお、本発明は、上記した実施形態に限定されるものではなく、本発明の要旨を逸脱しない範囲内において種々変更を加え得ることは勿論である。以下、その実施態様１〜１４について説明する。
【００９７】
〔実施態様１〕
画像形成された出力用紙を積載する排紙手段（図２に示す排紙トレイ５０７ａ，５０７ｂ）を備える画像形成装置であって、前記排紙手段に用紙が積載されているか否かを判別可能な積載検知手段（図２に示した紙有無検知センサ５０８ａ，５０８ｂ）と、前記積載検知手段による判別結果に基づいて、画像形成実行の可否を制御する制御手段（図１に示す制御装置１１０）と、画像形成装置の各部への電力供給を遮断して節電状態へ移行させ、該節電状態から画像形成可能な状態に復帰させる制御を行う節電制御手段（図３に示す節電キー６１０の指示に基づいて、図１に示す制御装置１１０が実行する）とを備え、前記制御手段は、前記節電制御手段が節電状態から画像形成可能な状態に復帰させた場合、前記積載検知手段による判別結果に基づいて、画像形成実行の可否を制御することを特徴とする画像形成装置。
【００９８】
これにより、節電状態から画像形成可能な状態に復帰させた場合、取り忘れた用紙が排紙手段に残っている状態で画像形成処理を実行して先行する出力用紙と後続する出力用紙とが混在してしまう事態を回避することができる。
【００９９】
〔実施態様２〕
画像形成された出力用紙を積載する排紙手段（図２に示す排紙トレイ５０７ａ，５０７ｂ）を備える画像形成装置であって、前記排紙手段に用紙が積載されているか否かを判別可能な積載検知手段（図２に示した紙有無検知センサ５０８ａ，５０８ｂ）と、前記積載検知手段による判別結果に基づいて、画像形成実行の可否を制御する制御手段（図１に示す制御装置１１０）と、画像形成装置の各部への電力供給を開始する電源投入手段（図示しない電源スイッチによる指示）とを備え、前記制御手段は、前記電源投入手段が画像形成可能な状態に遷移させた場合、前記積載検知手段による判別結果に基づいて、画像形成実行の可否を制御することを特徴とする画像形成装置。
【０１００】
これにより、画像形成装置の電源がオフ状態からオン状態に遷移した場合、取り忘れた用紙が排紙手段に残っている状態で画像形成処理を実行して先行する出力用紙と後続する出力用紙とが混在してしまう事態を回避することができる。
【０１０１】
〔実施態様３〕
画像形成された出力用紙を積載する排紙手段（図２に示す排紙トレイ５０７ａ，５０７ｂ）を備える画像形成装置であって、前記排紙手段に用紙が積載されているか否かを判別可能な積載検知手段（図２に示した紙有無検知センサ５０８ａ，５０８ｂ）と、前記積載検知手段による判別結果に基づいて、画像形成実行の可否を制御する制御手段（図１に示す制御装置に相当）と、画像形成装置の各部への電力供給を遮断して節電状態へ移行させ、該節電状態から画像形成可能な状態に復帰させる制御を行う節電制御手段（図３に示す節電キー６１０の指示に基づいて、図１に示す制御装置１１０が実行する）と、画像形成装置の各部への電力供給を開始する電源投入手段（図示しない電源スイッチ）とを備え、前記制御手段は、前記節電制御手段が節電状態から画像形成可能な状態に復帰させた場合、または前記電源投入手段が画像形成可能な状態に遷移させた場合、前記積載検知手段による判別結果に基づいて、画像形成実行の可否を制御することを特徴とする画像形成装置。
【０１０２】
これにより、節電状態から画像形成可能な状態に復帰させた場合、または、画像形成装置の電源がオフ状態からオン状態に遷移した場合、取り忘れた用紙が排紙手段に残っている状態で画像形成処理を実行して先行する出力用紙と後続する出力用紙とが混在してしまう事態を回避することができる。
【０１０３】
〔実施態様４〕
前記制御手段は、前記積載検知手段が前記排紙手段上に残用紙があると判別した場合、操作表示部（図１に示す操作部１５０の表示部に相当する）に残用紙除去を催促するメッセージを表示することを特徴とする実施態様１〜３のいずれかに記載の画像形成装置。
【０１０４】
これにより、節電状態から画像形成可能な状態に復帰させた場合、または、画像形成装置の電源がオフ状態からオン状態に遷移した場合に、残用紙の有無と排紙要請をユーザに対して明確に指示することができる。
【０１０５】
〔実施態様５〕
前記制御手段は、前記積載検知手段が前記排紙手段上に残用紙があると判別した後に残用紙がないと判別した場合、前記操作表示部に表示した残用紙除去を催促するメッセージを消去することを特徴とする実施態様１〜３のいずれかに記載の画像形成装置。
【０１０６】
これにより、残用紙の有無と排紙要請をユーザに対して明確に指示することができる。
【０１０７】
〔実施態様６〕
通信可能な情報処理装置から印刷ジョブを受信する受信手段（図１に示す制御装置１１０の図示しないネットワークＩ／Ｆボード等）を有し、前記制御手段は、前記操作表示部に用紙除去を催促するメッセージを表示している間に前記受信手段が前記印刷ジョブを受信した場合、前記積載検知手段による判別結果に基づいて、前記印刷ジョブの印刷処理実行の可否を制御することを特徴とする実施態様１〜３のいずれかに記載の画像形成装置。
【０１０８】
これにより、残用紙の有無と排紙要請をユーザに対して明確に指示した場合に、印刷ジョブを受信しても印刷処理を実行することなく、残用紙の有無と排紙要請をユーザに対して明確に指示して、排紙手段上で印刷ジョブと先行する残用紙とが混在する事態を回避できる。
【０１０９】
〔実施態様７〕
画像形成された出力用紙を積載する排紙手段（図２に示す排紙トレイ５０７ａ，５０７ｂ）を備える画像形成装置における画像形成制御方法であって、前記排紙手段に用紙が積載されているか否かを判別可能な積載検知ステップ（図６に示すステップＳ５）と、前記積載検知ステップによる判別結果に基づいて、画像形成実行の可否を制御する制御ステップ（図６に示すステップＳ５〜Ｓ１０）と、画像形成装置の各部への電力供給を遮断して節電状態へ移行させ、該節電状態から画像形成可能な状態に復帰させる制御を行う節電制御ステップ（図６に示すステップＳ２、Ｓ３）を備え、前記制御ステップは、前記節電制御ステップが節電状態から画像形成可能な状態に復帰させた場合、前記積載検知ステップによる判別結果に基づいて、画像形成実行の可否を制御することを特徴とする画像形成制御方法。
【０１１０】
これにより、節電状態から画像形成可能な状態に復帰させた場合、取り忘れた用紙が排紙手段に残っている状態で画像形成処理を実行して先行する出力用紙と後続する出力用紙とが混在してしまう事態を回避することができる。
【０１１１】
〔実施態様８〕
画像形成された出力用紙を積載する排紙手段（図２に示す排紙トレイ５０７ａ，５０７ｂ）を備える画像形成装置における画像形成制御方法であって、前記排紙手段に用紙が積載されているか否かを判別可能な積載検知ステップ（図７に示すステップＳ１２）と、前記積載検知ステップによる判別結果に基づいて、画像形成実行の可否を制御する制御ステップ（図７に示すステップＳ１２〜Ｓ１７）と、画像形成装置の各部への電力供給を開始する電源投入ステップ（図７に示すステップＳ１１）を備え、前記制御ステップは、前記電源投入ステップが画像形成可能な状態に遷移させた場合、前記積載検知ステップによる判別結果に基づいて、画像形成実行の可否を制御することを特徴とする画像形成制御方法。
【０１１２】
これにより、画像形成装置の電源がオフ状態からオン状態に遷移した場合、取り忘れた用紙が排紙手段に残っている状態で画像形成処理を実行して先行する出力用紙と後続する出力用紙とが混在してしまう事態を回避することができる。
【０１１３】
〔実施態様９〕
画像形成された出力用紙を積載する排紙手段（図２に示す排紙トレイ５０７ａ，５０７ｂ）を備える画像形成装置における画像形成制御方法であって、前記排紙手段に用紙が積載されているか否かを判別可能な積載検知ステップ（図６に示すステップＳ５）と、前記積載検知ステップによる判別結果に基づいて、画像形成実行の可否を制御する制御ステップ（図６に示すステップＳ５〜Ｓ１０、図７に示すステップＳ１２〜Ｓ１７）と、画像形成装置の各部への電力供給を遮断して節電状態へ移行させ、該節電状態から画像形成可能な状態に復帰させる制御を行う節電制御ステップ（図６に示すステップＳ２，Ｓ３）と、画像形成装置の各部への電力供給を開始する電源投入ステップ（図７に示すステップＳ１１）とを備え、前記制御ステップは、前記節電制御ステップが節電状態から画像形成可能な状態に復帰させた場合、または前記電源投入ステップが画像形成可能な状態に遷移させた場合、前記積載検知ステップによる判別結果に基づいて、画像形成実行の可否を制御することを特徴とする画像形成制御方法。
【０１１４】
これにより、節電状態から画像形成可能な状態に復帰させた場合、または、画像形成装置の電源がオフ状態からオン状態に遷移した場合、取り忘れた用紙が排紙手段に残っている状態で画像形成処理を実行して先行する出力用紙と後続する出力用紙とが混在してしまう事態を回避することができる。
【０１１５】
〔実施態様１０〕
前記制御ステップは、前記積載検知ステップが前記排紙手段上に残用紙があると判別した場合、操作表示部に残用紙除去を催促するメッセージを表示することを特徴とする実施態様６〜８のいずれかに記載の画像形成制御方法。
【０１１６】
これにより、節電状態から画像形成可能な状態に復帰させた場合、または、画像形成装置の電源がオフ状態からオン状態に遷移した場合に、残用紙の有無と排紙要請をユーザに対して明確に指示することができる。
【０１１７】
〔実施態様１１〕
前記制御ステップは、前記積載検知ステップが前記排紙手段上に残用紙があると判別した後、残用紙がないと判別した場合、前記操作表示部に表示した残用紙除去を催促するメッセージを消去することを特徴とする実施態様１０に記載の画像形成制御方法。
【０１１８】
これにより、残用紙の有無と排紙要請をユーザに対して明確に指示することができる。
【０１１９】
〔実施態様１２〕
通信可能な情報処理装置から印刷ジョブを受信する受信ステップを有し、前記制御ステップは、前記操作表示部に用紙除去を催促するメッセージを表示している間に、前記受信ステップが前記印刷ジョブを受信した場合、前記積載検知ステップによる判別結果に基づいて、前記印刷ジョブの印刷処理実行の可否を制御することを特徴とする実施態様６〜８のいずれかに記載記載の画像形成制御方法。
【０１２０】
これにより、残用紙の有無と排紙要請をユーザに対して明確に指示した場合に、印刷ジョブを受信しても印刷処理を実行することなく、残用紙の有無と排紙要請をユーザに対して明確に指示して、排紙手段上で印刷ジョブと先行する残用紙とが混在する事態を回避できる。
【０１２１】
〔実施態様１３〕
実施態様７〜１２のいずれかに記載の画像形成制御方法を実行させるためのプログラムを格納したことを特徴とするコンピュータが読み取り可能な記憶媒体。
【０１２２】
これにより、実施態様７〜１２と同等の効果が期待できる。
【０１２３】
〔実施態様１４〕
実施態様７〜１２のいずれかに記載の画像形成制御方法を実行させることを特徴とするプログラム。
【０１２４】
これにより、実施態様７〜１２と同等の効果が期待できる。
【図面の簡単な説明】
【０１２５】
【図１】本発明の一実施形態を示す画像形成装置を適用可能な画像入出力システムの全体構成を示すブロック図である。
【図２】図１に示したリーダ部及びプリンタ部の構成を説明する断面図である。
【図３】図１に示した操作部の構成を示す平面図である。
【図４】図３に示した操作部における標準画面（ユーザインタフェース）を示す模式図である。
【図５】図３に示した操作部における用紙排除指示画面（ユーザインタフェース）を示す模式図である。
【図６】本発明に係る画像形成装置における第１の画像形成処理手順の一例を示すフローチャートである。
【図７】本発明に係る画像形成装置における第２の画像形成処理手順の一例を示すフローチャートである。
【図８】本発明に係る画像形成装置で読み取り可能な各種データ処理プログラムを格納する記憶媒体のメモリマップを説明する図である。
【符号の説明】
【０１２６】
１１０  制御装置
１５０  操作部
３００  プリンタ部
３１０  給紙ユニット
【図１】
2005349693.tif 000003
【図２】
2005349693.tif 000004
【図３】
2005349693.tif 000005
【図４】
2005349693.tif 000006
【図５】
2005349693.tif 000007
【図６】
2005349693.tif 000008
【図７】
2005349693.tif 000009
【図８】
2005349693.tif 000010